(57)【要約】【課題】システム全体を容易に施工し、高価な専用処理ＩＣを用いることなく不要な周波数帯域成分の電力線への出力を低減するとともに、専用処理ＩＣを用いる場合と比べて低コスト化を図る。【解決手段】各照明器具１のマイコン６は、人感センサ５からのハイレベルの検知信号又は他の照明器具１からの制御信号が入力されると、点灯保持時間タイマ６１がカウントする間、ランプ負荷３を点灯させる。また、人感センサ５からハイレベルの検知信号が入力されたとき、マイコン６は矩形波信号を生成する。通信部７は、マイコン６とは別素子として設けられたフィルタ７０で矩形波信号から基本周波数成分を抽出し、この基本周波数成分を出力アンプ７１で増幅し、制御信号として他の照明器具１に電力線２を介して送信する。一方、マイコン６は、矩形波信号を生成した後又は制御信号が入力された後から送信マスクタイマ６２がカウントする間、矩形波信号の生成を停止する。【選択図】図１
2008077882.tif 000002
【特許請求の範囲】
【請求項１】
それぞれがランプ負荷を点灯制御する複数の照明器具を電力線に接続して備え、前記複数の照明器具の間で相互に、前記ランプ負荷を点灯制御するための制御信号の送受信が前記電力線を介して行われる照明制御システムであって、
前記複数の照明器具のそれぞれが、
予め決められた検知エリア内に存在する人を検知する人感センサを備えるとともに、
前記人感センサによる人の検知及び前記他の照明器具からの前記制御信号の受信の少なくとも一方が行われると前記ランプ負荷を予め決められた第１の時間点灯させる点灯制御機能と、前記人感センサによる人の検知が行われると矩形波信号を生成する信号生成機能と、前記人感センサによる人の検知が行われて前記矩形波信号を生成した後及び前記他の照明器具からの前記制御信号の受信が行われた後の少なくとも一方から予め決められた第２の時間、前記人感センサによる人の検知の有無に関わらず前記矩形波信号の生成を停止する信号生成停止機能とを有するマイコンと、
前記マイコンとは別素子として設けられ前記矩形波信号から基本周波数成分を抽出するフィルタを有し、前記基本周波数成分を前記制御信号として前記他の照明器具に送信する通信部と
を備えることを特徴とする照明制御システム。
【請求項２】
前記フィルタがＬＣフィルタであることを特徴とする請求項１記載の照明制御システム。
【発明の詳細な説明】
【技術分野】
【０００１】
本発明は、電力線通信を用いてランプ負荷を点灯制御する照明制御システムに関するものである。
【背景技術】
【０００２】
ランプ負荷を点灯制御する従来の照明制御システムとして、特許文献１には、それぞれがランプ負荷と接続し人感センサを有する複数の照明器具を伝送線に接続して備える照明装置（照明制御システム）が開示されている。この照明装置において、複数の照明器具の１つの人感センサが人体を検知した場合、上記照明器具は他の照明器具に対して、伝送線を介して人体検出信号を送信するとともに、自己のランプ負荷を点灯させる。一方、他の照明器具は伝送線を介して人体検出信号を受信し、ランプ負荷を点灯させる。
【０００３】
ところが、特許文献１の照明装置には、通信専用の伝送線を電源線とは別に取り付ける必要があることから、システム全体の施工に手間がかかるという問題があった。
【０００４】
上記問題を解決するものとして、特許文献２には、電源線（電力線）を利用した電力線通信によって調光用制御部と調光インバータとの間で通信を行う調光システム（照明制御システム）が開示されている。この調光システムでは、調光用制御部が、調光信号に基づく変調信号を電源線の電源電圧に重畳させて調光インバータに送信し、調光インバータが変調信号を受信し、放電灯を調光点灯する。このような特許文献２の調光システムによれば、通信専用の伝送線を取り付ける必要がないので、システム全体を容易に施工することができる。
【特許文献１】特開平１１−２１４１６７号公報（段落００２６〜００２８及び第１，２図）
【特許文献２】特開２００３−２０８９８９号公報（段落０００７〜００１６及び第１図）
【発明の開示】
【発明が解決しようとする課題】
【０００５】
ここで、電力線通信を行うために許容されている周波数帯域が決められており、許容されていない周波数帯域成分（特に高調波成分）の電力線への出力を制限する必要がある。このため、特許文献２の調光システムなど電力線通信を用いる従来の照明制御システムの各照明器具は、他の照明器具に送信するための信号を生成する機能及び上記信号のうち不要な周波数帯域成分（許容されていない周波数帯域成分）を除去するためのフィルタリング処理機能の両方を有する専用処理ＩＣを備えている。
【０００６】
しかしながら、専用処理ＩＣは汎用品ではなく上記照明制御システム用に製造されたものであるため、高価なものとなってしまう。したがって、電力線通信を用いる従来の照明制御システムには、システム全体のコストが高くなってしまうという問題があった。
【０００７】
本発明は上記の点に鑑みて為されたものであり、その目的とするところは、システム全体を容易に施工することができ、高価な専用処理ＩＣを用いることなく不要な周波数帯域成分の電力線への出力を低減できるとともに、専用処理ＩＣを用いる場合と比べて低コスト化を図ることができる照明制御システムを提供することにある。
【課題を解決するための手段】
【０００８】
請求項１の発明は、それぞれがランプ負荷を点灯制御する複数の照明器具を電力線に接続して備え、前記複数の照明器具の間で相互に、前記ランプ負荷を点灯制御するための制御信号の送受信が前記電力線を介して行われる照明制御システムであって、前記複数の照明器具のそれぞれが、予め決められた検知エリア内に存在する人を検知する人感センサを備えるとともに、前記人感センサによる人の検知及び前記他の照明器具からの前記制御信号の受信の少なくとも一方が行われると前記ランプ負荷を予め決められた第１の時間点灯させる点灯制御機能と、前記人感センサによる人の検知が行われると矩形波信号を生成する信号生成機能と、前記人感センサによる人の検知が行われて前記矩形波信号を生成した後及び前記他の照明器具からの前記制御信号の受信が行われた後の少なくとも一方から予め決められた第２の時間、前記人感センサによる人の検知の有無に関わらず前記矩形波信号の生成を停止する信号生成停止機能とを有するマイコンと、前記マイコンとは別素子として設けられ前記矩形波信号から基本周波数成分を抽出するフィルタを有し、前記基本周波数成分を前記制御信号として前記他の照明器具に送信する通信部とを備えることを特徴とする。
【０００９】
請求項２の発明は、請求項１の発明において、前記フィルタがＬＣフィルタであることを特徴とする。
【発明の効果】
【００１０】
請求項１の発明によれば、電力線通信とすることによってシステム全体を容易に施工することができ、信号生成機能を有するマイコンと別素子のフィルタとを組み合わせることで、マイコンによって矩形波信号が生成され、矩形波信号の基本周波数以外の周波数帯域成分がフィルタによって低減されるので、不要な周波数帯域成分を除去するフィルタリング処理機能を有する高価な専用処理ＩＣを用いることなく、不要な周波数帯域成分の電力線への出力を低減できるとともに、専用処理ＩＣを用いる場合と比べて低コスト化を図ることができる。
【００１１】
請求項２の発明によれば、水晶やセラミックより入手しやすく安価なインダクタ及びコンデンサを用いてフィルタを構成することができるので、フィルタとして水晶フィルタやセラミックフィルタを用いる場合と比べて低コスト化を図ることができる。
【発明を実施するための最良の形態】
【００１２】
（実施形態１）
まず、本発明の実施形態１に係る照明制御システムの構成について図１，２を用いて説明する。この照明制御システムは、図１に示すように、複数の照明器具１，１を電力線２に接続して備えている。各照明器具１は、ランプ負荷３を点灯制御するものであり、ランプ負荷３と、電源部４と、人感センサ５と、マイコン（制御部）６と、通信部７と、通信インターフェース部８とを備えている。
【００１３】
ランプ負荷３は、蛍光灯３０と、蛍光灯３０を安定に点灯させるための電子安定器３１とを備えている。後述の点灯信号がマイコン６から電子安定器３１に入力されると、蛍光灯３０が点灯する。
【００１４】
電源部４は、照明器具１（ランプ負荷３を含む）の動作電力を交流電源ＡＣから電力線２を介して受け取り、受け取った電力を照明器具１の各部（ランプ負荷３を含む）に供給する。交流電源ＡＣは例えば１００Ｖの商用電力である。
【００１５】
人感センサ５は、予め決められた検知エリア内に存在する人を検知し、人を検知していないときにローレベル、人を検知したときにハイレベルの検知信号をマイコン６に出力する。
【００１６】
マイコン６は、実施形態１の照明制御システムなどに限定されずにさまざまな製品に利用される汎用マイコンである。ここで、汎用マイコンとは、マイコン全体の動作を制御するＣＰＵと、プログラムやデータを記憶するメモリと、信号の入出力を行うための入出力ポートと、外部出力機能の１つとして矩形波出力機能を有するタイマ６０（図２参照）とを備えるものをいう。このような汎用マイコンを用いることによって、照明制御システム専用のマイコンを作製する場合と比べて低コスト化を図ることができる。
【００１７】
このような構成のマイコン６は、人感センサ５からハイレベルの検知信号が入力されると、ランプ負荷３に点灯信号を出力し、ランプ負荷３を１００％の明るさで点灯させる。このとき、マイコン６は、ランプ負荷３が１００％の明るさで点灯し続ける時間（点灯保持時間）をカウントする点灯保持時間タイマ６１を駆動する。点灯保持時間タイマ６１がカウントを終了するまでランプ負荷３は点灯し続け、点灯保持時間タイマ６１がカウントを終了すると、マイコン６はランプ負荷３に消灯信号を出力し、ランプ負荷３を消灯させる。また、他の照明器具１からの制御信号がマイコン６に入力されたときも、マイコン６はランプ負荷３に点灯信号を出力し、ランプ負荷３を点灯保持時間点灯させる。
【００１８】
また、マイコン６は、人感センサ５からハイレベルの検知信号が入力されると、タイマ６０（図２参照）の矩形波出力機能を用いて、特定の周波数を基本周波数とする矩形波信号を生成し、生成した矩形波信号を通信部７に出力する。
【００１９】
さらに、マイコン６は、人感センサ５からハイレベルの検知信号が入力されて矩形波信号を生成した後、又は他の照明器具１からの制御信号の受信が行われた後、他の照明器具１への制御信号の送信を抑制する時間（送信マスク時間）をカウントする送信マスクタイマ６２を駆動する。この送信マスクタイマ６２がカウントを終了するまで、マイコン６は、人感センサ５からの検知信号のレベルに関わらず矩形波信号の生成を停止する。送信マスクタイマ６２がカウントを終了すると、マイコン６は人感センサ５からのハイレベルの検知信号に応じて矩形波信号の生成を再開する。
【００２０】
ここで、点灯保持時間と送信マスク時間との長さの関係には特に制限はないが、照明制御システム全体の効率の点からは、送信マスク時間を点灯保持時間より短くするほうがよい。このほうが、照明制御システム全体として無駄な点灯状態の変化などを防止することができ、実用的である。
【００２１】
通信部７は、図２に示すように、マイコン６とは別素子として設けられマイコン６からの矩形波信号が入力されるフィルタ７０と、フィルタ７０を通った信号の電圧又は電流を増幅する出力アンプ７１とを備えている。フィルタ７０は、例えば矩形波信号の基本周波数に対応した水晶フィルタやセラミックフィルタなどの機械共振フィルタである。マイコン６からの矩形波信号は基本周波数及び奇数次高調波の重ね合わせであり高調波成分を含むため、矩形波信号をそのまま電力線に出力することはできない。そこで、フィルタ７０は、マイコン６からの矩形波信号の高調波成分を除去して周波数帯域を制限し、矩形波信号の基本周波数成分のみを抽出し、抽出した基本周波数成分を出力アンプ７１に出力する。出力アンプ７１は例えばトランジスタやオペアンプなどで構成され、フィルタ７０からの基本周波数成分に対して電圧増幅又は電流増幅を行う。このような構成の通信部７は、出力アンプ７１で増幅された基本周波数成分を、他の照明器具１のランプ負荷３を点灯制御するための制御信号として通信インターフェース部８を通じて他の照明器具１に送信する。
【００２２】
また、通信部７は、通信インターフェース部８を通じて他の照明器具１から自己のランプ負荷３を点灯制御するための制御信号を受信し、受信した制御信号をマイコン６に出力する。このとき、通信部７は、例えばコンパレータなどからなる検波回路（図示せず）を備え、検波回路で他の照明器具１からの制御信号を検波する。また、通信部７はアンプ（図示せず）を備え、他の照明器具１からの制御信号をアンプで増幅してから検波回路に入力させる構成であってもよい。なお、検波回路はコンパレータに限定されるものではない。
【００２３】
通信インターフェース部８は、制御信号を電力線２に伝達したり電力線２から受け取ったりするためのトランス（図示せず）を備え、このトランスを用いて通信部７からの制御信号を電力線２上の電源電圧に重畳する。このようにして、各照明器具１は自己の人感センサ５による人の検知に基づく制御信号を他の照明器具１に送信する。また、通信インターフェース部８は他の照明器具１から制御信号を受信し、受信した制御信号を通信部７に出力する。
【００２４】
次に、実施形態１に係る照明制御システムにおいて各照明器具１の動作について説明する。最初に、他の照明器具１から制御信号を受信しない場合について図３を用いて説明する。まず、自己の照明器具１の人感センサ５による人の検知がない場合、マイコン６はランプ負荷３を消灯させている（図３のｔ０）。このような状態に、人感センサ５による人の検知があり、ハイレベルの検知信号がマイコン６に入力されると（ｔ１）、マイコン６はランプ負荷３に点灯信号を出力し、ランプ負荷３を１００％の明るさで点灯させるとともに、点灯保持時間タイマ６１に対して点灯保持時間をカウントさせる。また、マイコン６は矩形波信号を生成し、生成した矩形波信号を通信部７に出力するとともに、送信マスクタイマ６２に対して送信タイマ時間をカウントさせる。続いて、通信部７が、フィルタ７０で矩形波信号の基本周波数成分を取り出し、この基本周波数成分を出力アンプ７１で増幅して制御信号とし、この制御信号を他の照明器具１に電力線２を介して送信する。
【００２５】
時間が経過していくにつれて点灯保持時間タイマ６１及び送信マスクタイマ６２のカウントは減算していくが（ｔ１〜ｔ２）、減算途中で再びハイレベルの検知信号がマイコン６に入力されると（ｔ２）、マイコン６は点灯保持時間タイマ６１によるカウントをリセットする。このとき、送信マスクタイマ６２がカウントを継続しているので、マイコン６は矩形波信号を生成しない。これに対して、送信マスクタイマ６２がカウントを終了し、点灯保持時間タイマ６１の減算中に再びハイレベルの検知信号がマイコン６に入力されると（ｔ３）、マイコン６は点灯保持時間タイマ６１によるカウンタをリセットし、矩形波信号を通信部７に出力する。通信部７が、フィルタ７０で矩形波信号の基本周波数成分を取り出し、この基本周波数成分を出力アンプ７１で増幅して制御信号とし、この制御信号を他の照明器具１に電力線２を介して送信する。時間が経過し、点灯保持時間タイマ６１がカウントを終了するとマイコン６はランプ負荷３を消灯させる（ｔ４）。次に人感センサ５からハイレベルの検知信号がマイコン６に入力されると（ｔ５）、ランプ負荷３の点灯制御、他の照明器具１への制御信号の送信並びに点灯保持時間タイマ６１及び送信マスクタイマ６２の駆動などの動作を繰り返す。
【００２６】
続いて、他の照明器具１から制御信号を受信する場合について図４を用いて説明する。まず、自己の照明器具１の人感センサ５による人の検知がない場合、マイコン６はランプ負荷３を消灯させている（図４のｔ０）。このような状態に、通信部７が電力線２を介して他の照明器具１から制御信号を受信すると（ｔ１）、マイコン６はランプ負荷３に点灯信号を出力し、ランプ負荷３を１００％の明るさで点灯させるとともに、点灯保持時間タイマ６１及び送信マスクタイマ６２に対して点灯保持時間及び送信マスク時間をカウントさせる。時間が経過していくにつれて点灯保持時間タイマ６１及び送信マスクタイマ６２のカウントは減算していくが、減算途中でハイレベルの検知信号がマイコン６に入力されると（ｔ２）、マイコン６は点灯保持時間タイマ６１によるカウントをリセットする。このとき、送信マスクタイマ６２がカウントを継続しているので、マイコン６は矩形波信号を生成しない。送信マスクタイマ６２がカウントを終了した後に、再び電力線２より他の照明器具１から制御信号を受信すると（ｔ３）、マイコン６は点灯保持時間タイマ６１によるカウントをリセットする。時間が経過し、送信マスクタイマ６２がカウントを終了し、点灯保持時間タイマ６１が減算中に、人感センサ５からハイレベルの検知信号がマイコン６に入力されると（ｔ４）、マイコン６は点灯保持時間タイマ６１によるカウントをリセットし、通信部７は電力線２を介して他の照明器具１に制御信号を送信する。時間が経過し、点灯保持時間タイマ６１がカウントを終了すると（ｔ５）、マイコン６はランプ負荷３を消灯させる。
【００２７】
以上、実施形態１によれば、電力線通信とすることによってシステム全体を容易に施工することができ、矩形波信号を生成する機能を有するマイコン６と別素子のフィルタ７０とを組み合わせることで、マイコン６によって矩形波信号が生成され、矩形波信号の基本周波数以外の周波数帯域成分がフィルタ７０によって低減されるので、不要な周波数帯域成分を除去するフィルタリング処理機能を有する高価な専用処理ＩＣを用いることなく、不要な周波数帯域成分の電力線への出力を低減できるとともに、専用処理ＩＣを用いる場合と比べて低コスト化を図ることができる。
【００２８】
また、送信マスクタイマ６２を駆動して送信マスク時間を設定し、制御信号の送信タイミングを適切に行うことによって、電力線２上の通信トラフィックを低減することができ、システム全体の動作を安定にすることができる。
【００２９】
さらに、通信専用の伝送線を取り付ける必要がないので、施工性を向上させることができる。
【００３０】
（実施形態２）
本発明の実施形態２に係る照明制御システムの構成について図５を用いて説明する。この照明制御システムは、実施形態１の照明制御システムと同様に、複数の照明器具１，１（図１参照）を備えている。また、各照明器具１は、ランプ負荷３と、電源部４と、人感センサ５と、マイコン６と、通信インターフェース部８とを実施形態１の照明器具と同様に備えているが（図１参照）、実施形態１の照明器具にはない以下に記載の特徴部分を有する。
【００３１】
実施形態２の通信部７は、実施形態１のフィルタ７０に代えて図５に示すようなＬＣフィルタ７０ａを備えている。ＬＣフィルタ７０ａは、３つのインダクタ７２０〜７２２と３つのコンデンサ７２３〜７２５とで構成される３次のバンドパスフィルタである。なお、実施形態２では３次のバンドパスフィルタを用いているが、バンドパスフィルタの次数は上記に限定されるものではない。また、実施形態２の通信部７は上記以外の点において実施形態１の通信部と同様である。
【００３２】
以上、実施形態２によれば、水晶やセラミックより入手しやすく安価なインダクタ７２０〜７２２及びコンデンサ７２３〜７２５を用いてＬＣフィルタ７０ａを構成することができるので、フィルタとして水晶フィルタやセラミックフィルタを用いる場合と比べて低コスト化を図ることができる。
【００３３】
（実施形態３）
本発明の実施形態３に係る照明制御システムの構成について図６を用いて説明する。この照明制御システムは、実施形態２の照明制御システムと同様に、複数の照明器具１，１（図１参照）を備えている。また、各照明器具１は、ランプ負荷３と、電源部４と、人感センサ５と、マイコン６と、通信インターフェース部８とを実施形態２の照明器具と同様に備えているが（図１参照）、実施形態２の照明器具にはない以下に記載の特徴部分を有する。
【００３４】
実施形態３の通信部７は、実施形態２のＬＣフィルタ７０ａに代えて図６に示すようなＬＣフィルタ７０ｂを備えている。ＬＣフィルタ７０ｂは、インダクタ７３０と２つのコンデンサ７３１，７３２とで構成される３次のローパスフィルタである。なお、実施形態３では３次のローパスフィルタを用いているが、ローパスフィルタの次数は上記に限定されるものではない。また、実施形態３の通信部７は上記以外の点において実施形態２の通信部と同様である。
【００３５】
以上、実施形態３によれば、実施形態２と同様に、フィルタとして水晶フィルタやセラミックフィルタを用いる場合と比べて低コスト化を図ることができる。また、マイコン６からの矩形波信号は基本周波数とその奇数次の高調波とを重畳したものであるので、ローパスフィルタでも実現することができる。
【００３６】
（実施形態４）
本発明の実施形態４に係る照明制御システムの構成について図７を用いて説明する。この照明制御システムは、実施形態２の照明制御システムと同様に、複数の照明器具１，１（図１参照）を備えている。また、各照明器具１は、ランプ負荷３と、電源部４と、人感センサ５と、マイコン６と、通信インターフェース部８とを実施形態２の照明器具と同様に備えているが（図１参照）、実施形態２の照明器具にはない以下に記載の特徴部分を有する。
【００３７】
実施形態４の通信部７は、実施形態２のＬＣフィルタ７０ａに代えて図７に示すようなＬＣフィルタ７０ｃを備えている。ＬＣフィルタ７０ｃは、インダクタ７４０とコンデンサ７４１とで構成される共振型のバンドパスフィルタである。このＬＣフィルタ７０ｃでは、並列共振周波数が矩形波信号の基本周波数となるようにインダクタ７４０及びコンデンサ７４１が設定されている。なお、実施形態４の通信部７は上記以外の点において実施形態２の通信部と同様である。
【００３８】
以上、実施形態４によれば、実施形態２と同様に、フィルタとして水晶フィルタやセラミックフィルタを用いる場合と比べて低コスト化を図ることができる。また、共振の選択度が高い場合、実施形態２，３のＬＣフィルタ７０ａ，７０ｂ（図５，６参照）よりも簡単にフィルタを構成することができる。
【００３９】
（実施形態５）
まず、本発明の実施形態５に係る照明制御システムの構成について図８を用いて説明する。この照明制御システムは、実施形態４の照明制御システムと同様に、複数の照明器具１，１（図１参照）を備えている。また、各照明器具１は、ランプ負荷３と、電源部４と、人感センサ５と、マイコン６と、通信インターフェース部８とを実施形態４の照明器具と同様に備えているが（図１参照）、実施形態４の照明器具にはない以下に記載の特徴部分を有する。
【００４０】
実施形態５の通信部７は、実施形態４のＬＣフィルタ７０ｃに代えて図８に示すようなＬＣフィルタ７０ｄを備えている。ＬＣフィルタ７０ｄは２つのＬＣフィルタ７５，７６から構成されている。ＬＣフィルタ７５は、実施形態４のＬＣフィルタ７０ｃと同様のものであり、インダクタ７５０とコンデンサ７５１とを並列に接続して構成されるバンドパスフィルタである。ＬＣフィルタ７５では、実施形態４のＬＣフィルタ７０ｃと同様に、並列共振周波数が矩形波信号の基本周波数となるようにインダクタ７５０及びコンデンサ７５１が設定されている。一方、ＬＣフィルタ７６は、インダクタ７６０とコンデンサ７６１とを直列に接続して構成されるノッチフィルタである。ＬＣフィルタ７６では、直列共振周波数が矩形波信号の第３高調波の周波数となるようにインダクタ７６０及びコンデンサ７６１が設定されている。また、ＬＣフィルタ７５とＬＣフィルタ７６との間には、ＬＣフィルタ７５の並列共振インピーダンスとＬＣフィルタ７６の直列共振インピーダンスとを整合させるインピーダンス整合回路７７が設けられている。インピーダンス整合回路７７は、適切な定数の抵抗やインダクタ、コンデンサ（図示せず）などで構成されるものである。なお、実施形態５の通信部７は上記以外の点において実施形態２の通信部と同様である。
【００４１】
次に、ＬＣフィルタ７０ｄの周波数特性について図９を用いて実施形態４のＬＣフィルタ７０ｃと比較しながら説明する。図９のＴｙｐｅ１が実施形態４のＬＣフィルタ７０ｃの周波数特性、Ｔｙｐｅ２が実施形態５のＬＣフィルタ７０ｄの周波数特性である。ＬＣフィルタ７０ｃ，７０ｄは、両方とも基本周波数成分を取り出し、その他の周波数帯域成分を減衰させている。さらに、ＬＣフィルタ７０ｄは、第３高調波の周波数において、ＬＣフィルタ７０ｃよりも急峻に減衰させている。
【００４２】
以上、実施形態５によれば、実施形態４と同様に、フィルタとして水晶フィルタやセラミックフィルタを用いる場合と比べて低コスト化を図ることができる。また、ノッチフィルタであるＬＣフィルタ７６を備えることによって、特に第３高調波など特定の周波数成分の減衰が必要な場合に、不要な周波数成分をより確実に除去することができる。さらに、ＬＣフィルタ７０ｄにインピーダンス整合回路７７を備えることによって、ＬＣフィルタ７５の並列共振インピーダンスとＬＣフィルタ７６の直列共振インピーダンスとの間に不整合があったとしても、所望の特性を得ることができる。
【００４３】
なお、実施形態１〜５の変形例として、通信部７が特定の単一周波数の正弦波を制御信号とする場合に代えて、複数のフィルタ７０又はＬＣフィルタ７０ａ〜７０ｄを並列に設け、マイコン６から出力し各フィルタ７０又は各ＬＣフィルタ７０ａ〜７０ｄを通った複数の異なる周波数成分を出力アンプ７１の入力側で重畳し、重畳されたもの制御信号としてもよい。このようにすると、複数の周波数成分が重畳された制御信号を容易に作成することができる。
【００４４】
また、実施形態１〜５の他の変形例として、ランプ負荷３を消灯させる代わりに調光点灯させてもよい。このような場合のランプ負荷３は、電子安定器３１として調光機能付きのものを備え、消灯信号に代えて調光信号がマイコン６から電子安定器３１に入力されると、蛍光灯３０は調光点灯する。
【００４５】
さらに、実施形態１〜５の他の変形例として、ランプ負荷３を１００％の明るさで点灯させる代わりに調光点灯させてもよい。このような場合のランプ負荷３も、電子安定器３１として調光機能付きのものを備え、点灯信号に代えて調光信号がマイコン６から電子安定器３１に入力されると、蛍光灯３０は調光点灯する。
【図面の簡単な説明】
【００４６】
【図１】本発明の実施形態１の構成を示すブロック図である。
【図２】同上に係る照明器具の要部の構成を示すブロック図である。
【図３】同上に係る照明器具において他の照明器具から制御信号を受信しない場合の動作を示すタイムチャートである。
【図４】同上に係る照明器具において他の照明器具から制御信号を受信する場合の動作を示すタイムチャートである。
【図５】本発明の実施形態２に係るＬＣフィルタの構成を示す図である。
【図６】本発明の実施形態３に係るＬＣフィルタの構成を示す図である。
【図７】本発明の実施形態４に係るＬＣフィルタの構成を示す図である。
【図８】本発明の実施形態５に係るＬＣフィルタの構成を示す図である。
【図９】同上に係るＬＣフィルタの周波数特性を示す図である。
【符号の説明】
【００４７】
１  照明器具
２  電力線
３  ランプ負荷
５  人感センサ
６  マイコン
６１  点灯保持時間タイマ
６２  送信マスクタイマ
７  通信部
７０  フィルタ
７０ａ〜７０ｄ  ＬＣフィルタ
７１  出力アンプ
【図１】
2008077882.tif 000003
【図２】
2008077882.tif 000004
【図３】
2008077882.tif 000005
【図４】
2008077882.tif 000006
【図５】
2008077882.tif 000007
【図６】
2008077882.tif 000008
【図７】
2008077882.tif 000009
【図８】
2008077882.tif 000010
【図９】
2008077882.tif 000011